(57)【要約】【課題】  必要時いつでもある程度の冷却感の持続性をもって使用することができる冷却タオルを提供すること。【解決手段】  二つ折り又は２枚のタオル地２の三辺周縁部３、４、５が縫合６されて扁平状袋部７が形成され、かつ該扁平状袋部７の一辺開口部８が面状ファスナ等の開閉手段９により開閉可能とされたタオル本体１と、該タオル本体１の前記扁平状袋部７内に挿入された、空気(冷気)のみを透過させ、水分及び湿気を通過させないフィルム製の扁平状冷却バック１０と、該扁平状冷却バック１０の適合孔に挿着されたパイプ１５を介して前記扁平状冷却バック１０内に高圧冷却ガスを注入する携帯型の冷気スプレー１２とを備えている。【選択図】    図１
2006223432.tif 000002
【特許請求の範囲】
【請求項１】
二つ折り又は２枚のタオル地(２)の三辺周縁部(３)、(４)、(５)が縫合(６)されて扁平状袋部(７)が形成され、かつ該扁平状袋部(７)の一辺開口部(８)が面状ファスナ等の開閉手段(９)により開閉可能とされたタオル本体(１)と、
該タオル本体(１)の前記扁平状袋部(７)内に挿入された、空気(冷気)のみを透過させ、水分及び湿気を通過させないフィルム製の扁平状冷却バック(１０)と、
該扁平状冷却バック(１０)の適合孔に挿着されたパイプ(１５)を介して前記扁平状冷却バック(１０)内に高圧冷却ガスを注入する携帯型の冷気スプレー(１２)と
を備えた構成を特徴とする冷却タオル。
【請求項２】
前記扁平状冷却バック(１０)における前記扁平状袋部(７)との対接面部の何れか一方の面部が、面状ファスナ等の接着手段(１１)により取り外し可能として接着されている構成を特徴とする請求項１の冷却タオル。
【請求項３】
前記冷気スプレー(１２)は、一個または複数個がタオル地等で縫製された収納袋(１６)に収められ、かつ該収納袋(１６)は前記タオル本体(１)に連設されている構成を特徴とする請求項１の冷却タオル。
【発明の詳細な説明】
【技術分野】
【０００１】
本発明は、タオルのほぼ全体を冷気によって冷却する冷却タオルに関し、特に真夏の炎天下において行うゴルフプレーの携帯に好適な冷却タオルに関するものである。
【背景技術】
【０００２】
ゴルフにおいては、汗をぬぐうタオルの携帯は不可欠であって、夏の暑い時期、特に炎天下でのプレーにおいては頻繁にタオルを使って流れ落ちる汗を拭かなければならない。
【０００３】
このような場合、従来においては、ゴルフバック又は腰に下げた通常のタオルを使って汗を拭き、或いはキャデーの持ち歩いているアイスボックス内やアルミホイール製容器内の冷やしたオシボリ又はタオルにより汗を拭いていた。
【０００４】
ところで、通常一般のタオルでは、単に汗を拭くことはできるものの、瞬間的にひんやりとした冷却感を得ることはできない。
【０００５】
又、キャデーの持ち歩くアイスボックス等内の冷やしたオシボリ又はタオルでは、一時的に冷却感を得ることはできるものの、瞬間的であってある程度の持続性を得ることはできず、又、キャデーと離れてプレーをしている時には使用できず、プレイヤーが携帯して必要時いつでもある程度の冷却感の持続性をもって使用することができないものであった。  
【発明の開示】
【発明が解決しようとする課題】
【０００６】
本発明が解決しようとする問題点は、真夏の炎天下等において、ゴルフプレイヤーが携帯して必要時いつでもある程度の冷却感の持続性をもって使用することができないという点である。
【０００７】
従って、本発明の目的は、ゴルフプレイヤーが携帯して必要時いつでもある程度の冷却感の持続性をもって使用することができ、特に真夏の炎天下におけるゴルフにおいて使用するに好適な冷却タオルを提供することにある。
【０００８】
この目的のため、本発明の請求項1に記載の冷却タオルは、二つ折り又は２枚のタオル地２の三辺周縁部３、４、５が縫合６されて扁平状袋部７が形成され、かつ該扁平状袋部７の一辺開口部８が面状ファスナ等の開閉手段９により開閉可能とされたタオル本体１と、
該タオル本体１の前記扁平状袋部７内に挿入された、空気(冷気)のみを透過させ、水分及び湿気を通過させないフィルム製の扁平状冷却バック１０と、
該扁平状冷却バック１０の適合孔に挿着されたパイプ１５を介して前記扁平状冷却バック１０内に高圧冷却ガスを注入する携帯型の冷気スプレー１２と
を備えた構成を特徴とするものである。
【０００９】
本発明の請求項２に記載の冷却タオルは、前記扁平状冷却バック１０における前記扁平状袋部７との対接面部の何れか一方の面部が、面状ファスナ等の接着手段１１により取り外し可能として接着されている構成を特徴とするものである。
【００１０】
本発明の請求項３に記載の冷却タオルは、前記冷気スプレー１２は、一個または複数個がタオル地等で縫製された収納袋１６に収められ、かつ該収納袋１６は前記タオル本体１に連設されている構成を特徴とするものである。
【発明の効果】
【００１１】
請求項1に記載の発明によれば、ゴルフプレイヤーが腰に下げる等して携帯し、場合によってはキャデーに携帯させ、必要に応じて冷気スプレーから高圧冷却ガスをタオル本体内の扁平状冷却バックに注入すれば、この冷却ガスにより扁平状に膨れた冷却バックから噴出の冷気によってタオル本体全体が冷却されるので、プレイヤーは必要に応じいつでもどこでもある程度の持続性をもって冷却タオルを使用でき、真夏の炎天下においても快適なゴルフを楽しむことができる。
【００１２】
請求項２に記載の発明によれば、扁平状冷却バックの何れか一方の面部が、面状ファスナ等の接着手段により扁平状袋部と接着されているから、扁平状冷却バックは冷気スプレーからの高圧冷却ガスにより安定的にして、かつ均一の扁平状に膨らみ、タオル本体の全体を効率的に冷却することができる。
【００１３】
又、扁平状冷却バックは、扁平状袋部に対し取り外し可能として接着されているから、面状ファスナ９により開口部８が開放されて中の扁平状冷却バック１０が取り出されれば、タオル本体１の洗濯をすることができる。
【００１４】
請求項３に記載の発明によれば、冷気スプレーは、一個または複数個がタオル地等で縫製された収納袋に収められ、かつ該収納袋は前記タオル本体に連設されているから、安全であって、持続的に高圧冷却ガスを注入することができる。
【発明を実施するための最良の形態】
【００１５】
以下に図面を参照して、本願に係る発明を実施するための最良の形態についてその作用と共に説明する。
【００１６】
図１は、本発明に係る冷却タオルの一例での一部省略の平面図、図２は、図１の２―２線に沿った部分拡大断面図で冷却バックは膨らんだ状態にあり、図３は、図１の３―３線に沿った一部省略の拡大断面図で冷却バックは膨らんだ状態にあり、図４は、図１の４―４線に沿った一部省略の拡大断面図で冷却バックは膨らんだ状態にある。
【００１７】
図１において、本発明に係る冷却タオルはタオル本体と、フィルム製の扁平状冷却バックと、携帯型の冷気スプレーとを備えている。
【００１８】
タオル本体１は、公知のタオル地２が二つ折りにされ、又は２枚のタオル地２が重ね合わされ、その三辺周縁部３、４、５が縫合６されて扁平状袋部７が形成されるとともに、該扁平状袋部７の一辺開口部８には開閉手段である面状ファスナ９が縫着されて、この面状ファスナ９により開口部８が開閉自在となっている。
【００１９】
タオル本体１における扁平状袋部７内には、高圧の冷却ガス(窒素ガス)が注入される扁平状冷却バック１０が挿入されている。
【００２０】
扁平状冷却バック１０は、空気(冷気)のみを透過させ、水分及び湿気を通過させないフィルム製、例えば、ポリエチレン多孔フィルムと不織布が熱接着されて形成されたもので、冷却ガスが注入されると扁平状袋部７と略適合した形態に膨らむように形成され、かつその大きさは、扁平状袋部７の一辺開口部８よりもやや内側に収まる寸法に設定されている。
【００２１】
扁平状冷却バック１０は、その何れか一方の面部が、面状ファスナ等の接着手段１１により扁平状袋部７と取り外し可能として接着されて収納され、冷気スプレーからの高圧冷却ガスにより安定的にして、かつ均一扁平状に膨らみ、タオル本体１の全体を効率的に冷却することができるとともに、面状ファスナ９により開口部８が開放されて、中の扁平状冷却バック１０が取り出だされてタオル本体１の洗濯ができるようになっている。
【００２２】
携帯型の冷気スプレー１２は、好ましくはポケツトに収まる程度の大きさであって、高圧冷却ガスボンベ１３とプッシュノズル１４、
一端がノズル１４と接続され、自由端は扁平状袋部７の開口部８を介して扁平状冷却バック１０の挿入孔に挿着されたパイプ１５から構成されている。
【００２３】
冷気スプレー１２は、図１に示されているように、タオル地等で縫製された収納袋１６に抜け落ちないようにして入れられ、かつ収納袋１６の両面上部にそれぞれの一端が縫着された一対の連結帯１７と面状ファスナ１８を介してタオル本体１に取り外し自在として取り付けられている。
【００２４】
図１において、冷気スプレー１２は一個であるが、これを複数個として、一個が使い終わった場合には次々に冷気スプレー１２を使うことができるようにすることも可能である。
【００２５】
このように構成された本冷却タオルは、腰に下げるなどして携帯し、使用時において冷気スプレー１２のノズル１４をプッシュすると、図４に示されているように、ボンベ１３内の不燃性の高圧冷却ガス(窒素ガス)がパイプ１５を通して扁平状冷却バック１０内に注入されて均一の扁平状に膨らみ、通気性が高いために−４０℃という低い冷気が一気に噴出して冷気がタオル本体１の全体に流れ、冷却される。
【００２６】
扁平状冷却バック１０は冷気の噴出により萎むとともに、内部には空気中の湿気に触れ結露して水分が発生するが、この水分は若干量のために外気温により蒸発して長く溜まることがないから、何ら問題はない。
【図面の簡単な説明】
【００２７】
【図１】本発明に係る冷却タオルの一例での一部省略の平面図である。
【図２】図１の２―２線に沿った部分拡大断面図で冷却バックは膨らんだ状態にある。
【図３】図１の３―３線に沿った一部省略の拡大断面図で冷却バックは膨らんだ状態にある。
【図４】図１の４―４線に沿った一部省略の拡大断面図で冷却バックは膨らんだ状態にある。
【符号の説明】
【００２８】
１    タオル本体
２    タオル地
３、４、５    タオル地の三辺周縁部
６    縫合
７    扁平状袋部
８    一辺開口部  
９    開閉手段(面状ファスナ)
１０    扁平状冷却バック
１１    接着手段(面状ファスナ)
１２    携帯型冷気スプレー
１３    高圧冷却ガスボンベ
１４    プッシュノズル
１５    パイプ
１６    収納袋
１７    連結帯
１８    面状ファスナ
【図１】
2006223432.tif 000003
【図２】
2006223432.tif 000004
【図３】
2006223432.tif 000005
【図４】
2006223432.tif 000006